(57)【要約】【課題】部品点数が少なく、コストが安価となり、しかも作業現場における部品の移送が簡易であって、さらにナットの締め付け作業が簡易となり、多数の労力と長時間の施工時間を要することなく、均等な締めつけが可能となる実用的な十字状交差部締結具を提供する。【解決手段】十字状に張設された一対のワイヤーロープ５０の交差部を締結するワイヤーロープの十字状交差部締結具において、略対角線上の２隅にはＵ字状ボルト挿通用の２つの貫通孔２２が形成され、さらに他の略対角線上の２隅の上面にはワイヤーロープのずれ防止用の棒状体２３，２３が立設されており、かつ上面中央にはワイヤーロープズレ防止用の穴２１が形成されているプレート２０と、前記プレート２０の上面からこのプレート２０に形成した二つの貫通孔２２を通して下方に嵌挿されたＵ字状ボルト３０と、該ボルト３０を前記プレート２０に固定するナット４０とからなる。【選択図】　図１
2004036692.tif 000002
【特許請求の範囲】
【請求項１】
十字状に張設された一対のワイヤーロープの交差部を、締結するワイヤーロープの十字状交差部締結具において、略対角線上の２隅には両ワイターロープに対して略４５度の角度をなすように締結するＵ字状ボルト挿通用の２つの貫通孔が形成され、さらに他の略対角線上の２隅の上面にはワイヤーロープのずれ防止用の棒状体が立設されているプレートと、前記プレートの上面からこのプレートに形成した二つの貫通孔を通して下方に嵌挿されたＵ字状ボルトと、該ボルトを前記プレートに固定するナットとからなることを特徴とするワイヤーロープの十字状交差部締結具。
【請求項２】
十字状に張設された一対のワイヤーロープの交差部を締結するワイヤーロープの十字状交差部締結具において、上面中央にはワイヤーロープズレ防止用の穴が形成されていることを特徴とする請求項１記載のワイヤーロープの十字状交差部締結具。
【発明の詳細な説明】
【０００１】
【発明の属する技術分野】
本発明は、柵、落石防止網、補強筋、吊り橋等の各種の分野において使用される十字状に張設されたワイヤーロープ等の交差部の締結に使用するワイヤーロープの十字状交差部締結具に関するものである。
【０００２】
【従来の技術】
柵、落石防止網、補強筋、吊り橋等に用いられている従来の通常の十字状交差部締結具は、図５に示すように、プレート１と２つのＵ字状ボルト２，２と４つのナット３，３，３，３とからなっており、十字状に交差したワイヤーロープ４，４をＵ字状ボルト２，２にてそれぞれワイヤーロープ４，４に対して直交するように把持し、ナット３，３，３，３によりそれぞれ締めつけることによりワイヤーロープ４，４の交差部を締結していた（実用新案登録第３９３５２９７号参照）。
【０００３】
しかしながら、この種の十字状交差部締結具は、２つのＵ字状ボルト２，２と４つのナット３，３，３，３とを要するので、部品点数が多く、コストが高くつくほか、作業現場において多数の部品を移送する必要があり、紛失のための予備が多量に要し、しかも４つのナット３，３，３，３を締め付けなくてはならず、締めつけにさいしては各ナット３，３，３，３の締めつけの繰り返し調整も必要となり、多数の労力と長い作業時間を要するのみならず、均等な締めつけが困難であった。このような締めつけ作業箇所は非常に多数存在するため、一箇所におけるわずかの作業効率の改善が全体の施工期間の短縮となるため、この改善が要望されている。
また、実用新案登録第３０３５２９７号の考案では、湾曲した一個の変形Ｕ字ボルトによる締結が提案されているが、４箇所のワイヤの交点を一本のボルトで隔離するとともに、締結力も必要とするため、ボルトへの負担が大きく、擦過や捻りによる損傷が憂慮された。
【０００４】
【発明が解決しようとする課題】
本発明は、上記のような要望に基づき、部品点数が少なく、コストが安価となり、しかも作業現場における部品の移送が簡易であって、さらにナットの締め付け作業が簡易となり、多数の労力と長時間の施工時間を要することなく、均等な締めつけが可能となる実用的な十字状交差部締結具を提供することを目的とするものである。
【０００５】
【課題を解決するための手段】
本発明は、かかる目的を達成するものであって、請求項１記載の発明は、十字状に張設された一対のワイヤーロープの交差部を、締結するワイヤーロープの十字状交差部締結具において、略対角線上の２隅には両ワイターロープに対して略４５度の角度をなすように締結するＵ字状ボルト挿通用の２つの貫通孔が形成され、さらに他の略対角線上の２隅の上面にはワイヤーロープのずれ防止用の棒状体が立設されているプレートと、前記プレートの上面からこのプレートに形成した二つの貫通孔を通して下方に嵌挿されたＵ字状ボルトと、該ボルトを前記プレートに固定するナットとからなることを特徴とするワイヤーロープの十字状交差部締結具である。
【０００６】
請求項２記載の発明は、十字状に張設された一対のワイヤーロープの交差部を締結するワイヤーロープの十字状交差部締結具において、上面中央にはワイヤーロープズレ防止用の穴が形成されていることを特徴とする請求項１記載のワイヤーロープの十字状交差部締結具である。
【０００７】
【発明の実施の形態】
以下、本発明を図示の実施例に従って詳細に説明する。
【０００８】
図１〜図４において、１０は本発明のワイヤーロープの十字状交差部締結具であり、該十字状交差部締結具１０は、プレート２０とＵ字状ボルト３０とナット４０，４０とからなるものである。
【０００９】
プレート２０は各種の形状とすることができるが、特に略正方形状のものが望ましく、金属製、合成樹脂製でも良いが、特に金属製のものが強度が大きいので、望ましい。
【００１０】
プレート２０の上面中央にはワイヤーロープズレ防止用の穴２１が形成されているので、プレート２０と接触するワイヤーロープ５０は長手方向に局部的に微小量の変形を生じて穴内に嵌入することとなり、ワイヤーロープ５０，５０の良好なズレ防止や締めつけが可能となる。穴２１の外形は、ワイヤーロープ５０の幅に近似する幅またはこれより小さい幅を有していて、幅よりも長尺の長さを有しているものが、良好なズレ防止や締めつけが得られる点で望ましい。穴２１の深さは裏面まで貫通していてもよいが、これに限らず非貫通の溝でもよい。
【００１１】
プレート２０の略対角線上の２隅にはボルト挿通用の２つの貫通孔２２，２２が形成され、さらに他の貫通孔のない略対角線上の２隅の上面にはワイヤーロープのずれ防止用の棒状体２３，２３が立設されている。
このため、ワイヤーロープ５０，５０はＵ字状ボルト３０と棒状体２３，２３とによって横ズレが良好に防止される。
【００１２】
Ｕ字状ボルト３０は、前記プレート２０の上面からこのプレート２０に形成した二つの貫通孔２２，２２を通して下方に嵌挿されるものであって、Ｕ字状部分の内面にてワイヤーロープ５０，５０の交差部をプレート２０の裏面に設けたナット４０，４０とともにプレート２０に固定するものである。一本のＵ字状ボルト３０と２本のナット４０，４０だけでワイヤーロープ５０，５０の交差部を固定するので、部品点数が少なく、コストが安価で、しかも作業現場における部品の移送が簡易であって、さらにナット４０，４０の締め付け作業が簡易となり、多数の労力と長時間の施工時間を要することなく、均等な締めつけが可能となる。交差部において直接、締めつけられるので、簡易に確実に固定することが可能である。
【００１３】
以下、ワイヤーロープの十字状交差部締結具の使用方法について述べることとする。十字状に張設された一対のワイヤーロープ５０，５０の交差部において、一方のワイヤーロープ５０をプレート２０の上面中央の穴２１を沿わせ、さらにワイヤーロープ５０，５０の交差部上にＵ字状ボルト３０を配置し、交差部をこうするようにしてプレート２０のボルト挿通用の２つの貫通孔２２，２２に挿通してナット４０，４０で固定する。これにより、一対のワイヤーロープ５０，５０の交差部は上方をＵ字状ボルト３０にて、下方はプレート２０にて完全に圧接されて固定される。横ズレは棒状体２３、２３と穴２１とにより完全に防止される。プレート２０に接触しているワイヤーロープ５０は穴２１に押し込まれ完全な締めつけがなされる。ワイヤーロープ５０，５０はＵ字状ボルト３０にて、略４５度の角度で締めつけられているので、直角に締めつけられている場合に比して広い接触面積で締めつけられるので、一本のＵ字状ボルト３０だけを使用しているにもかかわらず、締めつけ効果は非常に大きいこととなる。なお、今までワイヤーロープに対して使用する場合について述べたが、鉄棒その他の棒状体に対しても本発明の十字状交差部締結具を使用することが可能である。
【００１４】
【発明の効果】
本発明の十字状交差部締結具によれば、部品点数が少なく、コストが安価となり、しかも作業現場における部品の移送が簡易であって、さらにナットの締め付け作業が簡易となり、多数の労力と長時間の施工時間を要することなく、均等な締めつけが可能となる。
【図面の簡単な説明】
【図１】本発明のワイヤーロープの十字状交差部締結具の一例を示す正面図である。
【図２】図１のワイヤーロープの十字状交差部締結具からＵ字状ボルトを外した状態の平面図である。
【図３】図１のワイヤーロープの十字状交差部締結具の使用状態を示す平面図である。
【図４】図３の使用状態を示す側面図である。
【図５】従来のワイヤーロープの十字状交差部締結具の一例を示すものであって、（イ）は平面図、（ロ）は正面図、（ハ）は側面図である。
【符号の説明】
１０：十字状交差部締結具
２０：プレート
２１：穴
２２，２２：貫通孔
２３，２３：棒状体
３０：Ｕ字状ボルト
４０，４０：ナット
５０，５０：ワイヤーロープ
【図１】
2004036692.tif 000003
【図２】
2004036692.tif 000004
【図３】
2004036692.tif 000005
【図４】
2004036692.tif 000006
【図５】
2004036692.tif 000007